(57)【要約】【課題】両手がふさがっていても、ユーザが一人で測定装置の操作を行う事ができる測定装置、および測定方法を提供する。【解決手段】被測定対象の物性を測定する測定装置において、本体と、被測定対象の物性を表す信号を前記本体に通知し、測定時にはユーザの両手により支持されるプローブと、ユーザの操作に応じて、前記本体に信号を入力するフットスイッチと、を具備する。前記フットスイッチには、回転可能なボール状に形成されたボール操作部が設けられ、前記フットスイッチは、前記ボール操作部の回転に応じた信号を前記本体に送信する。【選択図】図２
2008170264.tif 000002
【特許請求の範囲】
【請求項１】
本体と、
被測定対象の物性を示す信号を前記本体に通知し、測定時にはユーザの両手により支持されるプローブと、
ユーザの操作に応じて、前記本体に信号を入力するフットスイッチと、
を具備し、
前記フットスイッチには、回転可能なボール状に形成されたボール操作部が設けられ、
前記フットスイッチは、前記ボール操作部の回転に応じた信号を前記本体に送信し、
前記本体は、前記フットスイッチより受信した信号に基いて動作する
測定装置。
【請求項２】
請求項１に記載された測定装置であって、
前記本体は、オシロスコープである
測定装置。
【請求項３】
請求項１又は２に記載された測定装置であって、
更に、
表示画面と、
前記ボール操作部の回転に応じて送信された信号に基いて、前記表示画面に表示される内容を制御する表示制御部と、
を具備する
測定装置。
【請求項４】
請求項３に記載された測定装置であって、
前記表示制御部は、前記表示画面上にカーソルを表示させ、
前記ボール操作部の回転に応じて送信された信号に基いて、前記カーソルの動作を制御する
測定装置。
【請求項５】
請求項１乃至４のいずれかに記載された測定装置であって、
前記フットスイッチには、ユーザが押下することのできるボタン部が設けられ、
前記フットスイッチは、前記ボタン部の押下に応じて、信号を前記本体に送信する
測定装置。
【請求項６】
請求項５に記載された測定装置であって、
前記本体は、前記ボタン部の押下に応じて送信された信号に基いて、測定結果を記録する
測定装置。
【請求項７】
請求項５又は６に記載された測定装置であって、
前記フットスイッチには、斜面が設けられ、
前記ボタン部は、前記斜面に取りつけられている
測定装置。
【請求項８】
請求項１乃至７のいずれかに記載された測定装置であって、
前記フットスイッチの底面には、滑り止めが設けられている
測定装置。
【請求項９】
請求項１乃至８のいずれかに記載された測定装置を用意するステップと、
前記プローブを両手で支持して、被測定対象の物性を測定する測定ステップと、
前記測定ステップの実行中に、足で前記フットスイッチを操作するステップと、
を具備する
測定方法。
【発明の詳細な説明】
【技術分野】
【０００１】
本発明は、測定装置及び測定方法に関し、特に、測定時にユーザの両手がふさがってしまうことのある測定装置及び測定方法に関する。
【背景技術】
【０００２】
被測定対象の物性を測定する測定装置が知られている。測定装置の中には、測定中にユーザの両手がふさがってしまうものがある。
【０００３】
図１は、このような測定装置の構成を、オシロスコープを例として示した図である。図１に示されるように、この測定装置は、本体（オシロスコープ）１０１と、２個のプローブ１０３、１０４と、を有している。本体１０１には、ユーザが本体の動作を操作するためのボタン（記録ボタン）１０２が設けられている。符号１０５は、被測定対象である。
【０００４】
近年、機器の複雑化により、オシロスコープを用いて、同時に複数の信号を測定する必要性が高まっている。同時に複数の信号を測定するために、ユーザは２つのプローブを持ち、被測定対象１０５に接触させ、２つの被測定信号の波形を測定する。この時、所望のタイミングで測定した波形データを記録したくても、ユーザの両手はプローブでふさがっているので、手で記録ボタン１０２を押下することは困難である。
【０００５】
両手のふさがった状態でも操作を行える様にするために、フットスイッチを用いる技術が知られている。このような技術として、具体的には、特許文献１の画像測定機、特許文献２のデジタルカメラコントローラ、特許文献３の歯科診療装置、特許文献４の超音波診断装置、特許文献５の監視撮影装置、特許文献６のデジタルオシロスコープが挙げられる。
【０００６】
また、特許文献７には、単一のトリガ入力しか持たない測定器やオア条件でのトリガ設定のできない測定器の補助となり、測定プローブの節約ができる、という効果の謳われた測定器用トリガ信号発生器が記載されている。
【０００７】
上述のようにフットスイッチを用いれば、測定データの記録等といった簡単な処理であれば、両手がふさがっていても測定中に実行することができる。但し、表示画面上に表示されたカーソルの移動や、トリガレベルの調整などといった複雑な操作になると、踏む、踏まないの切替え、すなわち、オン・オフスイッチでは操作しきれない。結局のところ、操作のためにどちらかの手を使用することになり、一旦測定作業を中断しなければならない。
【０００８】
しかしながら、測定位置が重要な測定などでは、一旦手からプローブを離してしまうと、同じ状態の測定を行う事が困難となる。従って、測定作業の一時中断ができない場合がある。例えばオシロスコープの場合、トリガ条件を２つの被測定信号の波形にあうように設定したければ、プローブを被測定対象に接触させたまま設定を変更する事が望まれる。しかしながら、トリガ条件の設定変更は、オンオフスイッチで操作できるような単純なものではない。従ってこのような場合には、補助者をつけて、その補助者に測定機の設定変更などの操作を行ってもらう必要がある。
【０００９】
【特許文献１】特開２０００−７４６３０号  公報
【特許文献２】特開２００２−２２３３８５号  公報
【特許文献３】特開２００５−１０３０４８号  公報
【特許文献４】特開平５−２９３１０２号  公報
【特許文献５】特開平７−２３９５００号  公報
【特許文献６】特開平１１−２３０９９２号  公報
【特許文献７】実開平３−１２２３７６号  公報
【発明の開示】
【発明が解決しようとする課題】
【００１０】
本発明の目的は、両手がふさがっていても、ユーザが一人で測定装置の操作を行う事ができる測定装置、および測定方法を提供することにある。
【課題を解決するための手段】
【００１１】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１２】
本発明にかかる測定装置（１０）は、被測定対象（５）の物性を測定する測定装置である。この測定装置（１０）は、本体（１）と、被測定対象（５）の物性を表す信号を本体（１）に通知し、測定時にはユーザの両手により支持されるプローブ（３、４）と、ユーザの操作に応じて、本体（１）に信号を入力するフットスイッチ（７）と、を具備する。フットスイッチ（７）には、回転可能なボール状に形成されたボール操作部（７３）が設けられている。フットスイッチ（７）は、ボール操作部（７３）の回転に応じた信号を本体（１）に送信する。
【００１３】
このような構成によれば、ユーザは、フットスイッチに設けられたボール操作部（７３）を操作することによって、本体（１）に対して指示を与えることができる。ここで、ボール操作部（７３）の回転に応じた信号を本体（１）に送信することで、両手が塞がった状態でも、オン・オフスイッチでは対応の難しかった複雑な操作を行う事ができる様になる。
【００１４】
この測定装置（１０）において、本体（１）は、オシロスコープであることが好ましい。
【００１５】
また、この測定装置（１０）は、更に、表示画面（９）と、ボール操作部（７３）の回転に応じて送信された信号に基いて、表示画面（９）に表示される内容を制御する表示制御部（８）と、を具備することが好ましい。ここで、表示制御部（８）は、表示画面（９）上にカーソルを表示させ、ボール操作部（７３）の回転に応じて送信された信号に基いて、そのカーソルの動作を制御することが好ましい。
【００１６】
このように、ボール操作部（７３）の操作を、表示画面（９）上のカーソルの動きに反映させる事で、ユーザは自分の行っている操作を視覚的に把握することができる。よって、両手のふさがった状態において、より複雑な操作を容易に実施することができる様になる。
【００１７】
また、この測定装置（１０）において、フットスイッチ（７）には、ユーザが押下することのできるボタン部（７１）が設けられ、フットスイッチ（７）は、ボタン部（７１）の押下に応じて、信号を本体（１）に送信するすることが好ましい。このとき、本体（１）は、ボタン部（７１）の押下に応じて送信された信号に基いて、測定結果を記録することが好ましい。
【００１８】
このように、ボタン部（７１）を設けておくことによって、オン・オフの切替えのみで済むような単純な操作（測定データの記録など）であれば、簡単に実行することができる。
【００１９】
また、この測定装置（１０）において、フットスイッチ（７）には、斜面（７４）が設けられ、ボタン部（７１）は、斜面（７４）に取りつけられていることが好ましい。斜面（７４）にボタン部（７１）を設けておくことで、ユーザは楽な姿勢でボタン部（７１）を踏むことができる。
【００２０】
また、この測定装置（１０）において、フットスイッチ（７）の底面には、滑り止め（７２）が設けられていることが好ましい。滑り止め（７２）を設けておけば、ユーザがフットスイッチ（７）を操作しても、フットスイッチ（７）の位置がずれたりする事がなく、快適に操作を行う事ができる。
【００２１】
本発明にかかる測定方法は、上記のような測定装置（１０）を用意するステップと、プローブ（３、４）を両手で支持して、被測定対象（５）の物性を測定するステップと、フットスイッチ（７）を足により操作して、本体（１）に信号を送信させるステップと、を具備する。
【発明の効果】
【００２２】
本発明によれば、両手がふさがっていても、ユーザが一人で測定装置の操作を行う事ができる測定装置、および測定方法が提供される。
【発明を実施するための最良の形態】
【００２３】
以下、図面を参照しつつ、本発明の実施形態について説明する。図２は、本実施形態に係る測定装置１０の構成を示す概略構成図である。測定装置１０は、測定装置の本体１と、プローブ３、４と、フットスイッチ７と、表示制御部８と、表示画面９とを備えている。本実施形態では、本体１がオシロスコープである場合について説明する。また、図１において、符号６は作業机であり、符号５は、被測定対象である。被測定対象５は、例えば、電子部品の実装された基板であり、作業机６の上に置かれている。
【００２４】
本体１には、記録ボタン（トリガボタン）２が設けられている。記録ボタン２が押下されると、本体１は測定を開始し、その測定データをメモリ等の記録部（図示せず）に記録するようになっている。
【００２５】
本体１には、表示画面９と、表示画面９に表示する内容を制御する表示制御部８とが設けられている。表示画面９は、測定された波形を表示して測定者に通知する為のものである。また、表示画面９上には、測定した波形の値などを読み取る為のカーソルも表示される様になっている。
【００２６】
表示制御部８は、表示画面９上に表示する内容を制御する為のものである。具体的には、後述するボール操作部７３の操作に対応させて、表示画面９上に表示されたカーソルを動かす機能を実現する。表示制御部８は、例えば、ＣＰＵやメモリと、インストールされたプログラムなどによって構成することができる。
【００２７】
このように、本実施形態に係る測定装置は、表示制御部８やボール操作部８によってユーザの操作が表示画面９上に反映される様に構成されており、いわゆるＧＵＩ（グラフィカルユーザーインターフェース）を備えているといえる。尚、表示制御部８や表示画面８は必ずしも本体１に設けられている必要はなく、ボール操作部７３からの信号が表示制御部８へも通知される様に構成されていれば、本体１と別に設けられていてもよい。また、ボール操作部７３とは別に、本体１にもカーソルを動かす為の操作部（つまみなど）を設けておいてもよい。
【００２８】
プローブ３、４は、本体１と信号の伝送が可能なように接続されている。測定時に、プローブは測定者の両手によって支持され、被測定対象５の所定位置に接触させられる。そして、被測定対象５の被測定信号を検出して、本体１に伝送する。
【００２９】
フットスイッチ７は、作業机６の下の床に置かれている。フットスイッチ７は、ケーブルを介して本体１と信号が通信可能なように接続されている。
【００３０】
図３及び４を参照して、フットスイッチ７の構成をより詳細に説明する。図３は、フットスイッチ７の上面図であり、図４は、側面図である。図３及び４に示されるように、フットスイッチ７には、ボタン部７１と、滑り止め７２と、ボール操作部７３とが設けられている。
【００３１】
ボタン部７１は、凸状に飛び出した形状に形成されており、足で容易に踏むことのできる様な大型のボタンである。ボタン部７１は、ケーブルを介して本体１の内部で記録ボタン２と接続されている。これにより、測定者が足でボタン部７１を押す（踏む）と、本体１が、記録ボタン２が押された時と同じ動作、すなわち測定開始及び測定データの記録、が実行される様になっている。
【００３２】
尚、このボタン部７１は、図４に示されるように、フットスイッチ７に設けられた斜面７４上に配置されていることが好ましい。このように、斜面７４上にボタン部７１を配置することで、ユーザは楽な姿勢でボタン部７１を踏むことができる。
【００３３】
図４に示されるように、滑り止め７２は、フットスイッチ７の底面に設けられている。このように、滑り止め７２を設けることによって、測定者が足でフットスイッチ７を操作した際に、フットスイッチ７の位置がずれてしまうことを防止できる。
【００３４】
ボール操作部７３は、トラックボール状であり、測定者の操作により３６０度方向に自在に回転できるように設けられている。ボール操作部７３は、回転の距離、方向に応じた信号を、本体１に送信する様に構成されている。本体１は、ボール操作部７３からの信号に基いて所定の動作を行うとともに、表示制御部８が表示画面８上に表示されるカーソルの位置を、ボール操作部７３からの信号に対応させて移動させる。すなわち、測定者にとっては、足でボール操作部７３を操作することにより、表示画面８上のカーソルの位置を動かす事ができる様に構成されている。
【００３５】
以上の様に構成された測定装置１０を用いて測定を行う際、測定者は両手でプローブ３、４を持ち、被測定対象５の所定の位置にプローブ３、４を接触させる。プローブ３、４を介して、本体１に被測定信号が送信され、表示画面９上にオシロスコープの波形が表示される。ここで、データの記録を行う場合には、測定者が足でボタン部７１を押下する。これにより、本体１がプローブ３、４を介して測定を行い、その結果を記録する。一方、表示画面９上に表示された波形の振幅などを測定したい場合には、測定者が足でボール操作部７３を操作すればよい。この操作により、表示画面９上のカーソルを、測定者の所望する位置まで移動させ、波形の振幅などの測定を行う事ができる。ボタン部７１の押下、ボール操作部７３の操作は、いずれも足で行う事ができるので、測定者はプロ−ブ３、４を手から離す必要はない。
【００３６】
本実施形態によれば、複数の信号の測定を同時に行う場合などの測定者の両手がふさがった状態においても、足でフットスイッチ７を操作することで、オシロスコープを一人で操作することができる。特に、ボール操作部７３を設けることによって、スイッチのオン、オフでは対応しきれないような複雑な操作にも対応することができる。また、このようなトラックボールを用いて、表示画面上に表示されたカーソルを動かす操作は、測定者による複雑な設定や慣れが不要であり、直感的に操作することができる。さらには、この測定装置１０には、高価な機構が不要であり安価に実現できる。
【００３７】
尚、本実施形態では、ボール操作部７３の操作を、カーソルの移動に対応させる場合について説明したが、ボール操作部７３の操作をカーソルの移動以外の動作に割り当てても良い。例えば、ボール操作部７３を、トリガレベルの調整などのオシロスコープの設定に割り当てれば、両手がふさがった状態においてもオシロスコープの設定を変更することができる。
【００３８】
また、本実施形態では、本体１がオシロスコープである場合を例として説明したが、本発明はこれに限られるものではない。例えば、ロジックアナライザー、マルチメーター、テスターなどの、測定中に両手がふさがってしまう場合のある測定器に対しても、ボール操作部を設けたフットスイッチを使用することで、オシロスコープを用いた時と同様の作用を奏する事ができる。
【図面の簡単な説明】
【００３９】
【図１】従来の測定装置の概略構成図である。
【図２】本発明にかかる測定装置の概略構成図である。
【図３】フットスイッチの上面図である。
【図４】フットスイッチの側面図である。
【符号の説明】
【００４０】
１    本体
２    記録ボタン（本体側）
３    プローブ
４    プローブ
５    被測定対象
６    作業机
７    フットスイッチ
７１  ボタン部
７２  滑り止め
７３  ボタン操作部
７４  斜面
８    表示制御部
９    表示画面
【図１】
2008170264.tif 000003
【図２】
2008170264.tif 000004
【図３】
2008170264.tif 000005
【図４】
2008170264.tif 000006